(57)【要約】  通信制御方法は、ｅＮＢ２００＃１が、セル＃１における一部の下りリンク無線リソースを、ｅＮＢ２００＃１からの送信を規制する送信規制リソースとして設定するステップと、送信規制リソースをｅＮＢ２００＃１からＵＥ１００に通知するステップと、ＵＥ１００が、通知された送信規制リソースにおいて、セル＃２の参照信号に対する測定を行うステップと、測定の結果に関する特定の測定報告をＵＥ１００からｅＮＢ２００＃１に送信するステップと、ｅＮＢ２００＃１が、特定の測定報告に基づいて、セル＃１を休止モードに設定可能であるか否かを判断するステップと、を有する。
2015170768.tif 000002
【特許請求の範囲】
【請求項１】
ユーザ端末と接続する対象セルを管理する第１の基地局が、前記対象セルにおける一部の下りリンク無線リソースを、前記第１の基地局が送信を規制する送信規制リソースとして設定し、
前記送信規制リソースを前記第１の基地局が前記ユーザ端末に通知し、
前記ユーザ端末が、前記通知された送信規制リソースにおいて、隣接セルの参照信号に対する測定を行い、
前記測定の結果に関する特定の測定報告を前記ユーザ端末が前記第１の基地局に送信し、
前記第１の基地局が、前記特定の測定報告に基づいて、前記対象セルを休止モードに設定可能であるか否かを判断する、
ことを有する通信制御方法。
【請求項２】
前記第１の基地局が、前記対象セルと接続する複数のユーザ端末のそれぞれが送信する測定報告に基づいて、前記隣接セルの参照信号を測定できないユーザ端末を前記複数のユーザ端末の中から選出し、
前記第１の基地局が、前記選出したユーザ端末に対して、前記送信規制リソースを通知する、
ことをさらに有する請求項１に記載の通信制御方法。
【請求項３】
前記判断することは、
前記特定の測定報告が前記隣接セルの参照信号に対する良好な測定結果を含む場合に、前記対象セルを前記休止モードに設定可能であると判断し、
前記特定の測定報告が前記隣接セルの参照信号に対する良好な測定結果を含まない場合に、前記対象セルを前記休止モードに設定不能であると判断する、
ことを含む請求項１に記載の通信制御方法。
【請求項４】
前記送信規制リソースは、ＣＳＩ参照信号の送信に用いられるリソースエレメントであり、
前記第１の基地局が、前記送信規制リソースにおけるＣＳＩ参照信号の送信電力をゼロに設定する、
請求項１に記載の通信制御方法。
【請求項５】
前記送信規制リソースに関する設定情報を、前記第１の基地局が、前記隣接セルを管理する第２の基地局に送信し、
前記第２の基地局が、前記設定情報に基づいて、前記送信規制リソースにおいてＣＳＩ参照信号を送信する、
ことをさらに有し、
前記測定を行うことは、前記ユーザ端末が、前記隣接セルのＣＳＩ参照信号に対する測定を行う、
ことを含む請求項４に記載の通信制御方法。
【請求項６】
前記送信規制リソースは、下りリンクユーザデータの送信が規制されるオールモストブランクサブフレームであり、
前記測定を行うことは、前記ユーザ端末が、前記隣接セルのセル固有参照信号に対する測定を行う、
ことを含む請求項１に記載の通信制御方法。
【請求項７】
前記送信規制リソースは、全ての下りリンク無線信号を送信しない完全なブランクサブフレームであり、
前記測定を行うことは、前記ユーザ端末が、前記隣接セルのセル固有参照信号に対する測定を行う、
ことを含む請求項１に記載の通信制御方法。
【請求項８】
ユーザ端末と接続する対象セルを管理する基地局であって、
前記対象セルにおける一部の下りリンク無線リソースを、前記基地局が送信を規制する送信規制リソースとして設定し、前記送信規制リソースを前記ユーザ端末に通知する制御部と、
前記送信規制リソースにおける前記隣接セルの参照信号に対する測定の結果に関する特定の測定報告を、前記ユーザ端末から受信する受信部と、を備え、
前記制御部は、前記特定の測定報告に基づいて、前記対象セルを休止モードに設定可能であるか否かを判断する、
基地局。
【請求項９】
基地局が管理する対象セルと接続するユーザ端末であって、
前記基地局から送信規制リソースを通知されると、前記通知された送信規制リソースにおいて隣接セルの参照信号に対する測定を行う制御部と、
前記測定の結果に関する特定の測定報告を前記基地局に送信する送信部と、を備え、
前記送信規制リソースは、前記基地局が送信を規制する一部の下りリンク無線リソースである、
ユーザ端末。
【請求項１０】
ユーザ端末と接続する対象セルを管理する第１の基地局が、前記対象セルにおける送信を一定期間において休止し、
前記ユーザ端末が前記隣接セルのカバレッジ外に存在する場合に、前記一定期間の経過後に、前記ユーザ端末が無線リンクの障害を検知し、
前記一定期間の経過後に前記無線リンクが復旧した場合に、前記障害に関する報告を前記ユーザ端末が前記第１の基地局に送信し、
前記第１の基地局が、前記報告に基づいて、前記対象セルを休止モードに設定可能であるか否かを判断する、
通信制御方法。
【請求項１１】
前記一定期間の経過後に前記ユーザ端末が前記隣接セルに接続した場合に、前記ユーザ端末が前記障害に関する報告を前記隣接セルを管理する第２の基地局に送信し、
前記報告を受信した前記第２の基地局が、当該受信した報告を前記第１の基地局に転送する、
ことをさらに有する請求項１０に記載の通信制御方法。
【請求項１２】
前記報告は、前記障害が発生したタイミングを示す時間情報を含み、
前記判断することは、前記第１の基地局が、前記時間情報に基づいて、前記障害の原因が前記対象セルにおける送信休止であると推定される場合に、前記対象セルを前記休止モードに設定不能であると判断する、
ことを含む請求項１０に記載の通信制御方法。
【請求項１３】
前記一定期間を前記第１の基地局が前記第２の基地局に通知し、
前記第２の基地局が、前記一定期間において、前記第１の基地局のセルの参照信号に対する測定を行わないように、前記隣接セルと接続するユーザ端末を制御する、
ことをさらに有する請求項１０に記載の通信制御方法。
【請求項１４】
ユーザ端末と接続する対象セルを管理する基地局であって、
前記対象セルにおける送信を一定期間において休止する制御部と、
前記一定期間の経過後に、前記ユーザ端末が検知した無線リンクの障害に関する報告を受信する受信部と、を備え、
前記制御部は、前記報告に基づいて、前記対象セルを休止モードに設定可能であるか否かを判断する、
基地局。
【請求項１５】
基地局が管理する対象セルと接続するユーザ端末であって、
前記基地局が前記対象セルにおける送信を一定期間において休止する場合で、かつ前記ユーザ端末が隣接セルのカバレッジ外に存在する場合に、前記一定期間の経過後に、無線リンクの障害を検知する制御部と、
前記一定期間の経過後に前記無線リンクが復旧した場合に、前記障害に関する報告を前記基地局に送信する送信部と、
を備えるユーザ端末。
【請求項１６】
前記一定期間の経過後に前記ユーザ端末が隣接セルに接続した場合に、前記送信部は、前記障害に関する報告を、前記隣接セルを管理する基地局に送信する、
請求項１５に記載のユーザ端末。
【発明の詳細な説明】
【技術分野】
【０００１】
本発明は、移動通信システムにおいて用いられる通信制御方法、基地局、及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、基地局の省電力化を図るエナジーセービング技術に関する仕様の策定が進められている。【０００３】
エナジーセービング技術では、セルを形成する第１の基地局と、隣接セルを形成する第２の基地局と、が存在する環境において、当該セルを休止（Ｓｗｉｔｃｈ  ｏｆｆ）モードに設定することにより、当該第１の基地局の消費電力を削減できる。【０００４】
カバレッジホールの発生を防ぐためには、休止モードに設定するセル（以下「対象セル」という）のカバレッジが隣接セルによりカバーされている必要がある。【０００５】
対象セルが隣接セルによりカバーされていることを確認した上で対象セルを休止モードに設定するために、ユーザ端末から送信される測定報告を利用する手法が提案されている（非特許文献１参照）。具体的には、対象セルと接続するユーザ端末から送信される測定報告が、隣接セルの参照信号に対する良好な測定結果を含むか否かに基づいて、対象セルが隣接セルによりカバーされているか否かを判断する。
【先行技術文献】
【非特許文献】
【０００６】
【非特許文献１】３ＧＰＰ寄書  「Ｒ３−１４０９３１」
【発明の概要】
【０００７】
本発明は、対象セルを休止モードに設定可能か否かを適切に判断可能とする通信制御方法、基地局、及びユーザ端末を提供する。
【０００８】
第１の特徴に係る通信制御方法は、ユーザ端末と接続する対象セルを管理する第１の基地局が、前記対象セルにおける一部の下りリンク無線リソースを、前記第１の基地局が送信を規制する送信規制リソースとして設定し、前記送信規制リソースを前記第１の基地局が前記ユーザ端末に通知し、前記ユーザ端末が、前記通知された送信規制リソースにおいて、隣接セルの参照信号に対する測定を行い、前記測定の結果に関する特定の測定報告を前記ユーザ端末が前記第１の基地局に送信し、前記第１の基地局が、前記特定の測定報告に基づいて、前記対象セルを休止モードに設定可能であるか否かを判断する、ことを有する。
【０００９】
第２の特徴に係る通信制御方法は、ユーザ端末と接続する対象セルを管理する第１の基地局が、前記対象セルにおける送信を一定期間において休止し、前記ユーザ端末が前記隣接セルのカバレッジ外に存在する場合に、前記一定期間の経過後に、前記ユーザ端末が無線リンクの障害を検知し、前記一定期間の経過後に前記無線リンクが復旧した場合に、前記障害に関する報告を前記ユーザ端末が前記第１の基地局に送信し、前記第１の基地局が、前記報告に基づいて、前記対象セルを休止モードに設定可能であるか否かを判断する。
【図面の簡単な説明】
【００１０】
【図１】第１実施形態乃至第４実施形態に係るＬＴＥシステムの構成図である。
【図２】第１実施形態乃至第４実施形態に係るＵＥのブロック図である。
【図３】第１実施形態乃至第４実施形態に係るｅＮＢのブロック図である。
【図４】第１実施形態乃至第４実施形態に係る無線インターフェイスのプロトコルスタック図である。
【図５】第１実施形態乃至第４実施形態に係るＬＴＥシステムで使用される無線フレームの構成図である。
【図６】第１実施形態乃至第４実施形態に係る動作環境を示す図である。
【図７】第１実施形態に係る送信規制リソースを説明するための図である。
【図８】第１実施形態に係るＵＥ選出動作を示すフロー図である。
【図９】第１実施形態に係る動作シーケンスを示すシーケンス図である。
【図１０】第２実施形態に係る動作シーケンスを示すシーケンス図である。
【図１１】第３実施形態に係る送信規制リソースを説明するための図である。
【図１２】第４実施形態に係る動作シーケンスを示すシーケンス図である。
【図１３】その他の実施形態に係る動作環境を示す図である。
【発明を実施するための形態】
【００１１】
［実施形態の概要］
第１実施形態乃至第３実施形態に係る通信制御方法は、ユーザ端末と、前記ユーザ端末と接続するセルを管理する第１の基地局と、隣接セルを管理する第２の基地局と、を用いる方法である。前記通信制御方法は、前記第１の基地局が、自セルにおける一部の下りリンク無線リソースを、自基地局が送信を規制する送信規制リソースとして設定するステップと、前記送信規制リソースを前記第１の基地局が前記ユーザ端末に通知するステップと、前記ユーザ端末が、前記通知された送信規制リソースにおいて、前記隣接セルの参照信号に対する測定を行うステップと、前記測定の結果に関する特定の測定報告を前記ユーザ端末が前記第１の基地局に送信するステップと、前記第１の基地局が、前記特定の測定報告に基づいて、自セルを休止モードに設定可能であるか否かを判断するステップと、を有する。
【００１２】
第１実施形態乃至第３実施形態に係る通信制御方法は、前記第１の基地局が、自セルと接続する複数のユーザ端末のそれぞれが送信する測定報告に基づいて、前記隣接セルの参照信号を測定できないユーザ端末を前記複数のユーザ端末の中から選出するステップをさらに有する。前記通知するステップにおいて、前記第１の基地局は、前記選出したユーザ端末に対して、前記送信規制リソースを通知する。
【００１３】
第１実施形態乃至第３実施形態では、前記判断するステップは、前記特定の測定報告が前記隣接セルの参照信号に対する良好な測定結果を含む場合に、自セルを前記休止モードに設定可能であると判断するステップと、前記特定の測定報告が前記隣接セルの参照信号に対する良好な測定結果を含まない場合に、自セルを前記休止モードに設定不能であると判断するステップと、を含む。
【００１４】
第１実施形態では、前記送信規制リソースは、ＣＳＩ参照信号の送信に用いられるリソースエレメントである。前記第１の基地局は、前記送信規制リソースにおけるＣＳＩ参照信号の送信電力をゼロに設定する。
【００１５】
第１実施形態に係る通信制御方法は、前記送信規制リソースに関する設定情報を前記第１の基地局が前記第２の基地局に送信するステップと、前記第２の基地局が、前記設定情報に基づいて、前記送信規制リソースにおいてＣＳＩ参照信号を送信するステップと、をさらに有する。前記測定を行うステップにおいて、前記ユーザ端末は、前記隣接セルのＣＳＩ参照信号に対する測定を行う。
【００１６】
第２実施形態では、前記送信規制リソースは、下りリンクユーザデータの送信が規制されるオールモストブランクサブフレームである。前記測定を行うステップにおいて、前記ユーザ端末は、前記隣接セルのセル固有参照信号に対する測定を行う。
【００１７】
第３実施形態では、前記送信規制リソースは、全ての下りリンク無線信号を送信しない完全なブランクサブフレームである。前記測定を行うステップにおいて、前記ユーザ端末は、前記隣接セルのセル固有参照信号に対する測定を行う。
【００１８】
第１実施形態乃至第３実施形態に係る基地局は、ユーザ端末と接続するセルを管理する。前記基地局は、自セルにおける一部の下りリンク無線リソースを、自基地局が送信を規制する送信規制リソースとして設定し、前記送信規制リソースを前記ユーザ端末に通知する制御部と、前記送信規制リソースにおける前記隣接セルの参照信号に対する測定の結果に関する特定の測定報告を、前記ユーザ端末から受信する受信部と、を有する。前記制御部は、前記特定の測定報告に基づいて、自セルを休止モードに設定可能であるか否かを判断する。
【００１９】
第１実施形態乃至第３実施形態に係るユーザ端末は、基地局が管理するセルと接続する。前記ユーザ端末は、前記基地局から送信規制リソースを通知されると、前記通知された送信規制リソースにおいて隣接セルの参照信号に対する測定を行う制御部と、前記測定の結果に関する特定の測定報告を前記第１の基地局に送信する送信部と、を備える。前記送信規制リソースは、前記基地局が送信を規制する一部の下りリンク無線リソースである。
【００２０】
第４実施形態に係る通信制御方法は、ユーザ端末と、前記ユーザ端末と接続するセルを管理する第１の基地局と、隣接セルを管理する第２の基地局と、を用いる方法である。前記通信制御方法は、前記第１の基地局が、自セルにおける送信を一定期間において休止するステップと、前記ユーザ端末が前記隣接セルのカバレッジ外に存在する場合に、前記一定期間の経過後に、前記ユーザ端末が無線リンクの障害を検知するステップと、前記一定期間の経過後に前記無線リンクが復旧した場合に、前記障害に関する報告を前記ユーザ端末が前記第１の基地局に送信するステップと、前記第１の基地局が、前記報告に基づいて、自セルを休止モードに設定可能であるか否かを判断するステップと、を有する。
【００２１】
第４実施形態に係る通信制御方法は、前記一定期間の経過後に前記ユーザ端末が前記隣接セルに接続した場合に、前記障害に関する報告を前記ユーザ端末が前記第２の基地局に送信するステップと、前記報告を受信した前記第２の基地局が、当該受信した報告を前記第１の基地局に転送するステップと、をさらに有する。
【００２２】
第４実施形態では、前記報告は、前記障害が発生したタイミングを示す時間情報を含む。前記判断するステップにおいて、前記第１の基地局は、前記時間情報に基づいて、前記障害の原因が自セルにおける送信休止であると推定される場合に、自セルを前記休止モードに設定不能であると判断する。
【００２３】
第４実施形態に係る通信制御方法は、前記一定期間を前記第１の基地局が前記第２の基地局に通知するステップと、前記第２の基地局が、前記一定期間において、前記第１の基地局のセルの参照信号に対する測定を行わないように、前記隣接セルと接続するユーザ端末を制御するステップと、をさらに有する。
【００２４】
第４実施形態に係る基地局は、ユーザ端末と接続するセルを管理する。前記基地局は、自セルにおける送信を一定期間において休止する制御部と、前記一定期間の経過後に、前記ユーザ端末が検知した無線リンクの障害に関する報告を受信する受信部と、を備える。前記制御部は、前記報告に基づいて、自セルを休止モードに設定可能であるか否かを判断する。
【００２５】
第４実施形態に係るユーザ端末は、基地局が管理するセルと接続する。前記ユーザ端末は、前記基地局が自セルにおける送信を一定期間において休止する場合で、かつ前記ユーザ端末が隣接セルのカバレッジ外に存在する場合に、前記一定期間の経過後に、無線リンクの障害を検知する制御部と、前記一定期間の経過後に前記無線リンクが復旧した場合に、前記障害に関する報告を前記基地局に送信する送信部と、を備える。
【００２６】
第４実施形態では、前記一定期間の経過後に前記ユーザ端末が隣接セルに接続した場合に、前記送信部は、前記障害に関する報告を、前記隣接セルを管理する基地局に送信する。
【００２７】
［第１実施形態］
以下において、３ＧＰＰ規格に基づく移動通信システムであるＬＴＥシステムに本発明を適用する場合の実施形態を説明する。
【００２８】
（１）システム構成
先ず、第１実施形態に係るＬＴＥシステムのシステム構成について説明する。図１は、第１実施形態に係るＬＴＥシステムの構成図である。
【００２９】
図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３０】
ＵＥ１００は、ユーザ端末に相当する。ＵＥ１００は、移動型の通信装置であり、セル（サービングセル）との無線通信を行う。ＵＥ１００の構成については後述する。
【００３１】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３２】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３３】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。ＳＧＷは、ユーザデータの転送制御を行う。ＭＭＥ／Ｓ−ＧＷ３００は、Ｓ１インターフェイスを介してｅＮＢ２００と接続される。なお、Ｅ−ＵＴＲＡＮ１０及びＥＰＣ２０は、ＬＴＥシステムのネットワークを構成する。
【００３４】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。無線送受信機１１０及びプロセッサ１６０は、送信部及び受信部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３５】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００３６】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３７】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３８】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。無線送受信機２１０（及び／又はネットワークインターフェイス２２０）及びプロセッサ２４０は、送信部及び受信部を構成する。また、メモリ２３０をプロセッサ２４０と一体化し、このセット（すなわち、チップセット）をプロセッサとしてもよい。
【００３９】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００４０】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４１】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４２】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４３】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御情報が伝送される。
【００４４】
ＭＡＣ層は、データの優先制御、ハイブリッドＡＲＱ（ＨＡＲＱ）による再送処理、及びランダムアクセス手順などを行う。ＵＥ１００のＭＡＣ層とｅＮＢ２００のＭＡＣ層との間では、トランスポートチャネルを介してユーザデータ及び制御情報が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００４５】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御情報が伝送される。
【００４６】
ＰＤＣＰ層は、ヘッダ圧縮・伸張、及び暗号化・復号化を行う。
【００４７】
ＲＲＣ層は、制御情報を取り扱う制御プレーンでのみ定義される。ＵＥ１００のＲＲＣ層とｅＮＢ２００のＲＲＣ層との間では、各種設定のための制御情報（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００４８】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４９】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５０】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００５１】
下りリンクにおいて、各サブフレームの先頭数シンボルの区間は、主に制御情報を伝送するための物理下りリンク制御チャネル（ＰＤＣＣＨ）として使用される制御領域である。また、各サブフレームの残りの区間は、主にユーザデータを伝送するための物理下りリンク共有チャネル（ＰＤＳＣＨ）として使用できるデータ領域である。
【００５２】
下りリンクにおいて、各サブフレームには、周波数方向及び時間方向に分散してセル固有参照信号（ＣＲＳ）が配置される。具体的には、ＣＲＳは、６サブキャリア間隔で、スロット中の最初のＯＦＤＭシンボルと最後から３番目のＯＦＤＭシンボルとに設けられる。ＣＲＳの信号系列は、物理セル識別子（ＰＣＩ）と対応付けられている。また、ＣＲＳは、ＰＣＩに応じて周波数位置が定められる。
【００５３】
（２）動作環境及びエナジーセービング技術
以下において、第１実施形態に係る動作環境及びエナジーセービング技術について説明する。
【００５４】
図６は、第１実施形態に係る動作環境を示す図である。
【００５５】
図６に示すように、ｅＮＢ２００＃１（第１の基地局）はセル＃１を管理しており、ｅＮＢ２００＃２（第２の基地局）はセル＃２を管理している。セル＃１のカバレッジは、セル＃２のカバレッジよりも狭い。第１実施形態では、セル＃２はマクロセルであり、セル＃１は小セル（例えばピコセル又はフェムトセル）である。セル＃１は、セル＃２のカバレッジ内に設けられる。
【００５６】
セル＃１を基準とすると、セル＃２はセル＃１の隣接セルである。ＵＥ１００は、セル＃１に接続した状態（ＲＲＣコネクティッド状態）である。
【００５７】
第１実施形態では、セル＃１及びセル＃２が同じ周波数に属するケースを想定する。また、セル＃１及びセル＃２の同期がとられているケースを想定する。
【００５８】
エナジーセービング技術では、図６に示すような動作環境において、セル＃１を休止（Ｓｗｉｔｃｈ  ｏｆｆ）モードに設定することにより、ｅＮＢ２００＃１の消費電力を削減する。休止モードは、少なくともセル＃１から全ての下りリンク無線信号の送信を休止（すなわち、停波）するモードである。ここで、カバレッジホールの発生を防ぐためには、休止モードに設定するセル＃１のカバレッジがセル＃２によりカバーされている必要がある。
【００５９】
第１実施形態では、セル＃１がセル＃２によりカバーされていることを確認した上でセル＃１を休止モードに設定するために、ＵＥ１００から送信される測定報告を利用する。具体的には、ｅＮＢ２００＃１は、セル＃１と接続するＵＥ１００から送信される測定報告が、セル＃２の参照信号に対する良好な測定結果を含むか否かに基づいて、セル＃１がセル＃２によりカバーされているか否かを判断する。測定結果とは、参照信号受信電力（ＲＳＲＰ）又は参照信号受信品質（ＲＳＲＱ）である。
【００６０】
これにより、セル＃１のカバレッジ内にセル＃２のカバレッジホールが存在する状況では、セル＃１を休止モードに設定しないようにすることができる。
【００６１】
しかしながら、ＵＥ１００がｅＮＢ２００＃１の近傍に存在する場合、セル＃２の参照信号がセル＃１から強い干渉を受ける。このような場合、ＵＥ１００は、セル＃２の参照信号に対する測定を行うことが難しい。換言すると、セル＃１から強い干渉を受ける位置（ｅＮＢ２００＃１の近傍の位置）については、セル＃２によりカバーされているか否かを判断することが難しい。
【００６２】
（３）第１実施形態に係る通信制御方法
以下において、第１実施形態に係る通信制御方法について説明する。第１実施形態に係る通信制御方法は、測定報告を利用して、対象セル（セル＃１）を休止モードに設定可能か否かを適切に判断可能とするための方法である。
【００６３】
第１実施形態に係る通信制御方法は、図６に示すような動作環境において用いられる。ｅＮＢ２００＃１は、セル＃１における一部の下りリンク無線リソースを、ｅＮＢ２００＃１からの送信を規制する送信規制リソースとして設定し、送信規制リソースをＵＥ１００に通知する。次に、ＵＥ１００は、通知された送信規制リソースにおいて、セル＃２の参照信号に対する測定を行い、当該測定の結果に関する特定の測定報告をｅＮＢ２００＃１に送信する。そして、ｅＮＢ２００＃１は、特定の測定報告に基づいて、セル＃１を休止モードに設定可能であるか否かを判断する。
【００６４】
ｅＮＢ２００＃１からの送信が規制されている送信規制リソースでは、ＵＥ１００がｅＮＢ２００＃１の近傍に存在する場合でも、ＵＥ１００は、セル＃１からの強い干渉を回避できる。よって、ＵＥ１００が送信規制リソースにおいてセル＃２の参照信号に対する測定を行うことにより、セル＃２の参照信号に対する測定を適切に行うことができる。その結果、ｅＮＢ２００＃１は、セル＃１がセル＃２によりカバーされているか否かをより確実に確認できる。
【００６５】
第１実施形態では、ｅＮＢ２００＃１は、セル＃１と接続する複数のＵＥ１００のそれぞれから送信される測定報告に基づいて、セル＃２の参照信号を測定できないＵＥ１００を当該複数のＵＥ１００の中から選出する。ここで、セル＃２の参照信号を測定できないとは、セル＃２について良好な測定結果が得られないことも含む。ｅＮＢ２００＃１は、選出したＵＥ１００に対して、送信規制リソースを通知する。なお、良好な測定結果が得られないとは、例えば、セル＃２についての測定結果が閾値以下であることを意味する。
【００６６】
セル＃２の参照信号を測定できないＵＥ１００は、セル＃２のカバレッジ外に存在するＵＥ１００、又はセル＃１から強い干渉を受けるＵＥ１００である。よって、そのようなＵＥ１００に対して送信規制リソースを通知することにより、セル＃１の干渉の影響を排除しつつ、セル＃２の参照信号に対する測定を行わせることができる。また、セル＃１と接続する全てのＵＥ１００に送信規制リソースを通知する場合に比べて、無線リソース及び処理負荷を節約することができる。
【００６７】
ｅＮＢ２００＃１は、特定の測定報告がセル＃２の参照信号に対する良好な測定結果を含む場合に、セル＃１を休止モードに設定可能であると判断する。一方、ｅＮＢ２００＃１は、特定の測定報告がセル＃２の参照信号に対する良好な測定結果を含まない場合に、セル＃１を休止モードに設定不能であると判断する。
【００６８】
（４）第１実施形態に係る送信規制リソース
以下において、第１実施形態に係る送信規制リソースについて説明する。
【００６９】
第１実施形態では、送信規制リソースは、ＣＳＩ（Ｃｈａｎｎｅｌ  Ｓｔａｔｅ  Ｉｎｆｏｒｍａｔｉｏｎ）参照信号の送信に用いられるリソースエレメントである。ｅＮＢ２００＃１は、送信規制リソースにおけるＣＳＩ参照信号の送信電力をゼロに設定する。また、ｅＮＢ２００＃１は、送信規制リソースに関する設定情報をｅＮＢ２００＃２に送信する。ｅＮＢ２００＃２は、当該設定情報に基づいて、送信規制リソースにおいてＣＳＩ参照信号を送信する。ＵＥ１００は、セル＃２のＣＳＩ参照信号に対する測定を行う。
【００７０】
ＣＳＩ参照信号（ＣＳＩ−ＲＳ）は、ＭＩＭＯ伝送等におけるＣＳＩを測定するための参照信号である。ＣＳＩはＣＱＩ（Ｃｈａｎｎｅｌ  Ｑｕａｌｉｔｙ  Ｉｎｄｉｃａｔｏｒ）などを含む。ＣＳＩ参照信号は、セル固有参照信号に比べて長い周期で設定される。第１実施形態では、そのようなＣＳＩ参照信号を、ＣＳＩの測定ではなく、ＲＳＲＰ／ＲＳＲＱの測定に利用する。
【００７１】
図７は、第１実施形態に係る送信規制リソースを説明するための図である。
【００７２】
図７（ａ）に示すように、ｅＮＢ２００＃１は、セル＃１における一部のリソースエレメントをＣＳＩ参照信号の送信用に確保する。図７（ａ）では、下りリンクサブフレーム内のＰＤＳＣＨ領域のリソースエレメントを確保するケースを例示している。また、ｅＮＢ２００＃１は、確保したリソースエレメントにおけるＣＳＩ参照信号の送信電力をゼロに設定する。以下において、このようなＣＳＩ参照信号を「Ｚｅｒｏ  Ｐｏｗｅｒ  ＣＳＩ−ＲＳ」と称する。
【００７３】
第１実施形態では、リソースエレメント単位で送信規制リソースを設定することにより、サブフレーム全体を送信規制リソースとして設定するケースに比べて、ｅＮＢ２００＃１のスループットの低下を抑制できる。なお、サブフレーム全体を送信規制リソースとして設定するケースについては、第２実施形態及び第３実施形態で説明する。
【００７４】
ｅＮＢ２００＃１は、Ｚｅｒｏ  Ｐｏｗｅｒ  ＣＳＩ−ＲＳが設定されたリソースエレメントをＵＥ１００及びｅＮＢ２００＃２に通知する。
【００７５】
図７（ｂ）に示すように、ｅＮＢ２００＃２は、ｅＮＢ２００＃１が確保したリソースエレメントと同じリソースエレメントをＣＳＩ参照信号の送信用に確保し、確保したリソースエレメントにおいてＣＳＩ参照信号を送信する。
【００７６】
ＵＥ１００は、ｅＮＢ２００＃１から通知されたリソースエレメントにおいて、セル＃２のＣＳＩ参照信号のＲＳＲＰ／ＲＳＲＱを測定する。そして、測定結果（ＲＳＲＰ／ＲＳＲＱ）を含む特定の測定報告をｅＮＢ２００＃１に送信する。
【００７７】
（５）第１実施形態に係る動作具体例
以下において、第１実施形態に係る動作具体例について説明する。
【００７８】
（５．１）ＵＥ１００の選出動作
図８は、第１実施形態に係るＵＥ選出動作を示すフロー図である。本フローを実施する段階では、送信規制リソースが設定されていなくてもよい。
【００７９】
図８に示すように、ステップＳ１１において、ｅＮＢ２００＃１は、一定期間において、セル＃１と接続する複数のＵＥ１００のそれぞれから送信される測定報告を集計する。この「一定期間」とは、十分な量の測定報告を得られる時間であり、オペレータによって決定される。「十分な量の測定報告を得られる」とは、カバレッジアリアを網羅するだけの測定報告が集計されることを指す。ｅＮＢ２００＃１は、各測定報告にセル＃２の測定結果（ＲＳＲＰ／ＲＳＲＱ）が含まれているか否かを確認する。
【００８０】
ステップＳ１２において、ｅＮＢ２００＃１は、セル＃２の測定結果（ＲＳＲＰ／ＲＳＲＱ）を含まない測定報告があるか否かを判断する。セル＃２の測定結果を含まない測定報告がない場合（ステップＳ１２：ＮＯ）、処理をステップＳ１１に戻す。
【００８１】
これに対し、セル＃２の測定結果を含まない測定報告がある場合（ステップＳ１２：ＹＥＳ）、ステップＳ１３において、ｅＮＢ２００＃１は、セル＃２の測定結果を含まない測定報告の送信元ＵＥ１００を選出する。
【００８２】
なお、図８では、ステップＳ１１で得られた複数の測定報告を対象としてステップＳ１２の判断を一括して行っている。しかしながら、ステップＳ１１で測定報告を受信する度に、その測定報告のみを対象としてステップＳ１２の判断を行ってもよい。このように都度判断を行うパターンでは、図８のフローを上記「一定期間」において行われる。
【００８３】
（５．２）動作シーケンス
図９は、第１実施形態に係る動作シーケンスを示すシーケンス図である。図９におけるＵＥ１００は、図８の動作フローを用いて選出されたＵＥ１００である。
【００８４】
図９に示すように、ステップＳ１０１において、ｅＮＢ２００＃１は、セル＃１における一部のリソースエレメントを、ｅＮＢ２００＃１からの送信を規制する送信規制リソースとして設定する。具体的には、当該リソースエレメントにおけるＣＳＩ参照信号の送信電力をゼロに設定する。
【００８５】
ステップＳ１０２において、ｅＮＢ２００＃１は、ＣＳＩ参照信号（Ｚｅｒｏ  Ｐｏｗｅｒ  ＣＳＩ−ＲＳ）に関する設定情報であるＣＳＩ−ＲＳ  ｃｏｎｆｉｇｕｒａｔｉｏｎ  ｉｎｆｏｒｍａｔｉｏｎをｅＮＢ２００＃２に送信する。ＣＳＩ−ＲＳ  ｃｏｎｆｉｇｕｒａｔｉｏｎ  ｉｎｆｏｒｍａｔｉｏｎは、Ｘ２メッセージの情報要素であってもよい。ＣＳＩ−ＲＳ  ｃｏｎｆｉｇｕｒａｔｉｏｎ  ｉｎｆｏｒｍａｔｉｏｎは、ＣＳＩ参照信号の送信をｅＮＢ２００＃２に要求する要求情報とみなすこともできる。ＣＳＩ−ＲＳ  ｃｏｎｆｉｇｕｒａｔｉｏｎ  ｉｎｆｏｒｍａｔｉｏｎは、ステップＳ１０１で設定したリソースエレメントを示す情報を含む。当該情報は、Ｚｅｒｏ  Ｐｏｗｅｒ  ＣＳＩ−ＲＳに対応するサブフレーム情報、シンボル情報、サブキャリア情報のうち少なくとも１つを含んでもよい。また、ＣＳＩ−ＲＳ  ｃｏｎｆｉｇｕｒａｔｉｏｎ  ｉｎｆｏｒｍａｔｉｏｎは、ｅＮＢ２００＃２（セル＃２）の送信ＣＳＩ−ＲＳを指定するための系列情報を含んでもよい。
【００８６】
ステップＳ１０３において、ｅＮＢ２００＃１は、ＣＳＩ参照信号（Ｚｅｒｏ  Ｐｏｗｅｒ  ＣＳＩ−ＲＳ）に関する設定情報であるＺｅｒｏ  Ｐｏｗｅｒ  ＣＳＩ−ＲＳ情報をＵＥ１００に送信する。Ｚｅｒｏ  Ｐｏｗｅｒ  ＣＳＩ−ＲＳ情報は、ＲＲＣメッセージの情報要素であってもよい。Ｚｅｒｏ  Ｐｏｗｅｒ  ＣＳＩ−ＲＳ情報は、セル＃２のＣＳＩ参照信号の測定をＵＥ１００に要求する要求情報とみなすこともできる。Ｚｅｒｏ  Ｐｏｗｅｒ  ＣＳＩ−ＲＳ情報は、ステップＳ１０１で設定したリソースエレメントを示す情報を含む。当該情報は、Ｚｅｒｏ  Ｐｏｗｅｒ  ＣＳＩ−ＲＳに対応するサブフレーム情報、シンボル情報、サブキャリア情報のうち少なくとも１つを含んでもよい。Ｚｅｒｏ  Ｐｏｗｅｒ  ＣＳＩ−ＲＳ情報は、測定対象のセル（すなわち、セル＃２）のセルＩＤを含んでもよい。
【００８７】
ステップＳ１０４において、ｅＮＢ２００＃１からＣＳＩ−ＲＳ  ｃｏｎｆｉｇｕｒａｔｉｏｎ  ｉｎｆｏｒｍａｔｉｏｎを受信したｅＮＢ２００＃２は、受信したＣＳＩ−ＲＳ  ｃｏｎｆｉｇｕｒａｔｉｏｎ  ｉｎｆｏｒｍａｔｉｏｎに基づいて、Ｚｅｒｏ  Ｐｏｗｅｒ  ＣＳＩ−ＲＳのリソースエレメントと同じリソースエレメントにおいてＣＳＩ参照信号（ＣＳＩ−ＲＳ）を送信する。
【００８８】
ステップＳ１０５において、ｅＮＢ２００＃１からＺｅｒｏ  Ｐｏｗｅｒ  ＣＳＩ−ＲＳ情報を受信したＵＥ１００は、受信したＺｅｒｏ  Ｐｏｗｅｒ  ＣＳＩ−ＲＳ情報に基づいて、ｅＮＢ２００＃２（セル＃２）から送信されるＣＳＩ−ＲＳのＲＳＲＰ／ＲＳＲＱを測定する。
【００８９】
ステップＳ１０６において、ＵＥ１００は、ステップＳ１０５で測定したＲＳＲＰ／ＲＳＲＱを含む測定報告（特定の測定報告）をｅＮＢ２００＃１に送信する。特定の測定報告は、ＲＲＣメッセージの情報要素であってもよい。
【００９０】
ステップＳ１０７において、ＵＥ１００から特定の測定報告を受信したｅＮＢ２００＃１は、受信した特定の測定報告に基づいて、セル＃１を休止モードに設定可能であるか否かを判断する。ｅＮＢ２００＃１は、特定の測定報告がセル＃２の良好なＲＳＲＰ／ＲＳＲＱを含む場合に、セル＃１を休止モードに設定可能であると判断する。一方、ｅＮＢ２００＃１は、特定の測定報告がセル＃２の良好なＲＳＲＰ／ＲＳＲＱを含まない場合に、セル＃１を休止モードに設定不能であると判断する。
【００９１】
［第１実施形態の変更例］
上述した実施形態では、Ｚｅｒｏ  Ｐｏｗｅｒ  ＣＳＩ−ＲＳのリソースエレメントをｅＮＢ２００＃１が決定していたが、Ｚｅｒｏ  Ｐｏｗｅｒ  ＣＳＩ−ＲＳのリソースエレメントをｅＮＢ２００＃２が決定してもよい。
【００９２】
Ｚｅｒｏ  Ｐｏｗｅｒ  ＣＳＩ−ＲＳのリソースエレメントをｅＮＢ２００＃２が決定する場合、ｅＮＢ２００＃２は、ＣＳＩ−ＲＳ  ｃｏｎｆｉｇｕｒａｔｉｏｎ  ｉｎｆｏｒｍａｔｉｏｎをｅＮＢ２００＃１に送信する。ｅＮＢ２００＃２からＣＳＩ−ＲＳ  ｃｏｎｆｉｇｕｒａｔｉｏｎ  ｉｎｆｏｒｍａｔｉｏｎを受信したｅＮＢ２００＃１は、受信したＣＳＩ−ＲＳ  ｃｏｎｆｉｇｕｒａｔｉｏｎ  ｉｎｆｏｒｍａｔｉｏｎに基づいて、Ｚｅｒｏ  Ｐｏｗｅｒ  ＣＳＩ−ＲＳのリソースエレメントをセル＃１に設定する。
【００９３】
［第２実施形態］
第２実施形態について、第１実施形態との相違点を主として説明する。第２実施形態では、送信規制リソースの構成方法が第１実施形態とは異なる。なお、第２実施形態に係るシステム構成及び動作環境は、第１実施形態と同様である。
【００９４】
（１）第２実施形態に係る送信規制リソース
以下において、第２実施形態に係る送信規制リソースについて説明する。
【００９５】
第２実施形態では、送信規制リソースは、下りリンクユーザデータの送信が規制されるオールモストブランクサブフレーム（ＡＢＳ）である。ＡＢＳは、３ＧＰＰリリース１０から導入されているものであり、セル間干渉を回避するために略ブランクな下りリンクサブフレームを設定する。
【００９６】
但し、３ＧＰＰリリース８及び９との後方互換性を担保するために、ＡＢＳでは、必要な制御チャネル及び物理信号、並びにシステム情報は送信される。よって、ＡＢＳを設定するセルであっても、レガシーＵＥが接続可能である。
【００９７】
第２実施形態では、ｅＮＢ２００＃１は、複数の下りリンクサブフレームのうち一部の下りリンクサブフレームをＡＢＳとして設定する。ＵＥ１００は、当該ＡＢＳにおいて、ｅＮＢ２００＃２（セル＃２）のセル固有参照信号（ＣＲＳ）に対する測定を行う。
【００９８】
（２）第２実施形態に係る動作具体例
以下において、第２実施形態に係る動作具体例について説明する。第２実施形態では、ＵＥ１００の選出動作（図８参照）については第１実施形態と同様である。
【００９９】
図１０は、第２実施形態に係る動作シーケンスを示すシーケンス図である。図１０におけるＵＥ１００は、図８の動作フローを用いて選出されたＵＥ１００である。
【０１００】
図１０に示すように、ステップＳ２０１において、ｅＮＢ２００＃１は、セル＃１における一部の下りリンクサブフレームをＡＢＳとして設定する。
【０１０１】
ステップＳ２０２において、ｅＮＢ２００＃１は、ＡＢＳに関する設定情報であるＡＢＳ  ｃｏｎｆｉｇｕｒａｔｉｏｎ  ｉｎｆｏｒｍａｔｉｏｎをｅＮＢ２００＃２に送信する。ＡＢＳ  ｃｏｎｆｉｇｕｒａｔｉｏｎ  ｉｎｆｏｒｍａｔｉｏｎは、Ｘ２メッセージの情報要素であってもよい。但し、ステップＳ２０２は必須ではなく、省略可能である。
【０１０２】
ステップＳ２０３において、ｅＮＢ２００＃１は、ＡＢＳに関する設定情報であるＡＢＳ情報をＵＥ１００に送信する。ＡＢＳ情報は、ＲＲＣメッセージの情報要素であってもよい。ＡＢＳ情報は、セル＃２のＣＲＳの測定をＵＥ１００に要求する要求情報とみなすこともできる。ＡＢＳ情報は、ステップＳ２０１で設定したＡＢＳを示す情報（サブフレーム情報）を含む。
【０１０３】
ステップＳ２０４において、ｅＮＢ２００＃２は、ＣＲＳを送信する。
【０１０４】
ステップＳ２０５において、ｅＮＢ２００＃１からＡＢＳ情報を受信したＵＥ１００は、受信したＡＢＳ情報に基づいて、ｅＮＢ２００＃２（セル＃２）から送信されるＣＲＳのＲＳＲＰ／ＲＳＲＱを測定する。
【０１０５】
ステップＳ２０６において、ＵＥ１００は、ステップＳ２０５で測定したＲＳＲＰ／ＲＳＲＱを含む測定報告（特定の測定報告）をｅＮＢ２００＃１に送信する。特定の測定報告は、ＲＲＣメッセージの情報要素であってもよい。
【０１０６】
ステップＳ２０７において、ＵＥ１００から特定の測定報告を受信したｅＮＢ２００＃１は、受信した特定の測定報告に基づいて、セル＃１を休止モードに設定可能であるか否かを判断する。ｅＮＢ２００＃１は、特定の測定報告がセル＃２の良好なＲＳＲＰ／ＲＳＲＱを含む場合に、セル＃１を休止モードに設定可能であると判断する。一方、ｅＮＢ２００＃１は、特定の測定報告がセル＃２の良好なＲＳＲＰ／ＲＳＲＱを含まない場合に、セル＃１を休止モードに設定不能であると判断する。
【０１０７】
［第３実施形態］
第３実施形態について、第１実施形態及び第２実施形態との相違点を主として説明する。第３実施形態では、送信規制リソースの構成方法が第１実施形態及び第２実施形態とは異なる。第３実施形態に係るシステム構成及び動作環境は、第１実施形態と同様である。
【０１０８】
図１１は、第３実施形態に係る送信規制リソースを説明するための図である。
【０１０９】
図１１に示すように、第３実施形態では、送信規制リソースは、全ての下りリンク無線信号を送信しない完全なブランクサブフレームである。すなわち、完全なブランクサブフレームでは、下りリンクユーザデータが送信されないだけではなく、制御チャネル及び物理信号、並びにシステム情報も送信されない。
【０１１０】
第３実施形態では、ｅＮＢ２００＃１は、複数の下りリンクサブフレームのうち一部の下りリンクサブフレームを完全なブランクサブフレームとして設定する。ＵＥ１００は、当該完全なブランクサブフレームにおいて、ｅＮＢ２００＃２（セル＃２）のセル固有参照信号（ＣＲＳ）に対する測定を行う。
【０１１１】
その他の動作については、第２実施形態と同様である。すなわち、第２実施形態における「ＡＢＳ」を「完全なブランクサブフレーム」と読み替えればよい。
【０１１２】
［第４実施形態］
第４実施形態について、第１実施形態乃至第３実施形態との相違点を主として説明する。第４実施形態に係るシステム構成及び動作環境は、第１実施形態と同様である。
【０１１３】
（１）第４実施形態に係る通信制御方法
以下において、第４実施形態に係る通信制御方法について説明する。
【０１１４】
第４実施形態に係る通信制御方法は、測定報告を利用することに代えて、無線リンク障害（ＲＬＦ）報告を利用する。ＵＥ１００は、ＲＲＣコネクティッド状態において無線問題（ｒａｄｉｏ  ｐｒｏｂｌｅｍ）を検知するとタイマＴ１を起動し、タイマＴ１の期間内で無線リンクが復旧しない場合に、タイマＴ１の満了時にＲＬＦを検知する。
【０１１５】
第４実施形態に係る通信制御方法は、図６に示すような動作環境において用いられる。ｅＮＢ２００＃１は、セル＃１における送信を一定期間において休止する。当該一定期間は、ＵＥ１００のタイマＴ１と同じ期間とすることが好ましい。ＵＥ１００がセル＃２のカバレッジ外に存在する場合に、一定期間の経過後にＵＥ１００がＲＬＦを検知する。その後、ＵＥ１００は、一定期間の経過後に無線リンクが復旧した場合に、ＲＬＦに関する報告（ＲＬＦ報告）をｅＮＢ２００＃１に送信する。ｅＮＢ２００＃１は、ＲＬＦ報告に基づいて、セル＃１を休止モードに設定可能であるか否かを判断する。
【０１１６】
このように、ｅＮＢ２００＃１は、セル＃１における送信を一定期間において休止する。ここで、セル＃１と接続するＵＥ１００のうち、セル＃２のカバレッジ内に存在するＵＥ１００は、セル＃２と再接続（ＲＲＣ  ｃｏｎｎｅｃｔｉｏｎ  ｒｅ−ｅｓｔａｂｌｉｓｈｍｅｎｔ）することにより、当該一定期間の経過後にＲＬＦを検知しない。これに対し、セル＃１と接続するＵＥ１００のうち、セル＃２のカバレッジホールに存在するＵＥ１００は、セル＃２と再接続不能であるため、当該一定期間の経過後にＲＬＦを検知する。第４実施形態では、ｅＮＢ２００＃１は、このような仕組みを利用して、セル＃１がセル＃２によりカバーされているか否かを確認する。
【０１１７】
（２）第４実施形態に係る動作具体例
以下において、第４実施形態に係る動作具体例について説明する。
【０１１８】
図１２は、第４実施形態に係る動作シーケンスを示すシーケンス図である。図１２の動作シーケンスは、定期的に行ってもよい。或いは、図１２の動作シーケンスは、図８の動作フローを用いてＵＥ１００が選出された場合に行ってもよい。なお、図１２において、ＵＥ１００は、セル＃１と接続するＵＥ１００であって、セル＃２のカバレッジホールに存在すると仮定している。
【０１１９】
図１２に示すように、ステップＳ４０１において、ｅＮＢ２００＃１は、セル＃１における送信を休止する一定期間をｅＮＢ２００＃１からｅＮＢ２００＃２に通知する。ｅＮＢ２００＃１は、例えば、一定期間の開始タイミング及び終了タイミングをｅＮＢ２００＃２に通知してもよい。また、ｅＮＢ２００＃１は、ＵＥ１００のコンテキスト情報（ＵＥコンテキスト）をｅＮＢ２００＃２に通知する。当該ＵＥコンテキストは、ＵＥ１００がセル＃２と再接続する場合に利用される。一定期間の情報及びＵＥコンテキストは、Ｘ２メッセージの情報要素であってもよい。
【０１２０】
ステップＳ４０２において、ｅＮＢ２００＃２は、ｅＮＢ２００＃１から通知された一定期間において、ｅＮＢ２００＃１のセル＃１の参照信号（ＣＲＳ）に対する測定を行わないように、セル＃２と接続するＵＥ（不図示）を制御する。例えば、ｅＮＢ２００＃２は、セル＃２と接続するＵＥに対して、セル＃１を測定対象から除外する設定情報を送信する。また、ｅＮＢ２００＃２は、ｅＮＢ２００＃１から通知されたＵＥコンテキストを保持する。
【０１２１】
ステップＳ４０３において、ｅＮＢ２００＃１は、一定期間の開始タイミングにおいて、セル＃１における送信休止を開始する。すなわち、ｅＮＢ２００＃１は、セル＃１からの全ての下りリンク無線信号の送信を停止する。セル＃１と接続するＵＥ１００は、セル＃１から下りリンク無線信号を受信できないことを検知し、タイマＴ１を起動する。
【０１２２】
ステップＳ４０４において、ｅＮＢ２００＃１は、一定期間の終了タイミングにおいて、セル＃１における送信休止を終了する。すなわち、ｅＮＢ２００＃１は、セル＃１からの下りリンク無線信号の送信を再開する。
【０１２３】
ステップＳ４０５において、ＵＥ１００は、タイマＴ１の満了に応じてＲＬＦを検知する。ＵＥ１００は、検知したＲＬＦに関する情報を記憶する。
【０１２４】
ステップＳ４０６において、ＵＥ１００は、セル＃１との無線リンクが復旧したか否かを判断する。セル＃１との無線リンクが復旧した場合（ステップＳ４０６：ＹＥＳ）、ステップＳ４０７において、ＵＥ１００は、検知したＲＬＦに関するＲＬＦ報告をセル＃１（ｅＮＢ２００＃１）に送信する。ＲＬＦ報告は、ＲＬＦが発生したタイミングを示す時間情報（すなわち、タイムスタンプ）を含む。
【０１２５】
セル＃１との無線リンクが復旧しない場合（ステップＳ４０６：ＮＯ）で、かつＵＥ１００がセル＃２のカバレッジ内に移動した場合、ステップＳ４０８において、ＵＥ１００は、セル＃２（ｅＮＢ２００＃２）との再接続を行う。ここで、ｅＮＢ２００＃２はＵＥコンテキストを保持しているため、円滑な再接続を行うことができる。
【０１２６】
ステップＳ４０９において、セル＃２に接続したＵＥ１００は、検知したＲＬＦに関するＲＬＦ報告をｅＮＢ２００＃２に送信する。
【０１２７】
ステップＳ４１０において、ＵＥ１００からＲＬＦ報告を受信したｅＮＢ２００＃２は、受信したＲＬＦ報告を含む通知（ＲＬＦ  Ｉｎｄｉｃａｔｏｒ）をｅＮＢ２００＃１に送信する。
【０１２８】
ステップＳ４１１において、ｅＮＢ２００＃１は、ステップＳ４０７又はステップＳ４１０で受信したＲＬＦ報告に基づいて、セル＃１を休止モードに設定可能であるか否かを判断する。ここで、ｅＮＢ２００＃１は、ＲＬＦ報告に含まれる時間情報（タイムスタンプ）に基づいて、ＲＬＦの原因がセル＃１における送信休止であるか否かを推定する。そして、ｅＮＢ２００＃１は、ＲＬＦの原因がセル＃１における送信休止であると推定した場合に、セル＃１を休止モードに設定不能であると判断する。
【０１２９】
［その他の実施形態］
第１実施形態では、ＵＥ１００がセル＃２のＣＳＩ−ＲＳを測定するケースを例示した。また、第２実施形態及び第３実施形態では、ＵＥ１００がセル＃２のＣＲＳを測定するケースを例示した。しかしながら、第２実施形態及び第３実施形態では、ＵＥ１００がセル＃２のＣＲＳを測定することに代えて、ＵＥ１００がセル＃２のＣＳＩ−ＲＳを測定してもよい。
【０１３０】
上述した実施形態に係る対象ＵＥの選定（図８）は、必須ではなく、省略してもよい。図８の処理を省略する場合、ｅＮＢ２００＃１は、自セル（セル＃１）と接続する全てのＵＥ１００に対して送信規制リソースを通知することにより、当該全てのＵＥ１００が送信規制リソースにおいてセル＃２に対する測定を行ってもよい。
【０１３１】
上述した実施形態では、図６に示したように、セル＃２がマクロセルであり、セル＃１が小セル（例えばピコセル又はフェムトセル）であり、セル＃１は、セル＃２のカバレッジ内に設けられていた。しかしながら、本発明はこのようなヘテロジーニアスネットワークに限定されない。すなわち、セル＃１及びセル＃２は、異種のセルではなく、同種のセルであってもよい。図１３は、その他の実施形態に係る動作環境を示す図である。図１３に示すように、セル＃１及びセル＃２は、何れもマクロセルである。セル＃１及びセル＃２は、カバレッジエリアの一部が重複している。このようなホモジーニアスネットワークにも本発明を適用可能であることは勿論である。また、上述した実施形態では、セル＃１及びセル＃２は、異なるｅＮＢ２００により管理されていた。しかしながら、セル＃１及びセル＃２が同一のｅＮＢ２００により管理されてもよい。
【０１３２】
上述した各実施形態は、別個独立に実施する場合に限らず、２以上の実施形態を組み合わせて実施してもよい。例えば、ｅＮＢ２００＃１は、自セル（セル＃１）と接続する複数のＵＥ１００のうち、最初に選出したＵＥ１００に対して第１実施形態に係る送信規制リソースを通知し、次に選出したＵＥ１００に対して第２実施形態に係る送信規制リソースを通知し、次に選出したＵＥ１００に対して第３実施形態に係る送信規制リソースを通知してもよい。また、第１実施形態と第２実施形態とを同時に行うというような組み合わせを行ってもよい。例えば、あるサブフレームにはＣＳＩ−ＲＳ（Ｚｅｒｏ  Ｐｏｗｅｒ  ＣＳＩ−ＲＳ）を設定し、他のサブフレームにはＡＢＳを設定するといった組み合わせが可能である。
【０１３３】
上述した各実施形態では、ＭＤＴ（Ｍｉｎｉｍｉｚａｔｉｏｎ  ｏｆ  Ｄｒｉｖｅ  Ｔｅｓｔ）について特に触れなかった。しかしながら、ＵＥ１００が送信する測定報告は、当該ＵＥ１００の地理的位置を示す位置情報を含んでもよい。このような手法は、Ｉｍｍｅｄｉａｔｅ  ＭＤＴと称される。位置情報を含む測定報告を受信したｅＮＢ２００＃１は、当該位置情報に基づいて、自身の近傍に存在するＵＥ１００からの測定報告を無視してもよい。
【０１３４】
上述した実施形態では、移動通信システムの一例としてＬＴＥシステムを説明したが、ＬＴＥシステムに限定されるものではなく、ＬＴＥシステム以外のシステムに本発明を適用してもよい。
【０１３５】
日本国特許出願第２０１４−０９７５１９号（２０１４年５月９日出願）の全内容が参照により本願明細書に組み込まれている。
【産業上の利用可能性】
【０１３６】
本発明は、通信分野において有用である。
【図１】
2015170768.tif 000003
【図２】
2015170768.tif 000004
【図３】
2015170768.tif 000005
【図４】
2015170768.tif 000006
【図５】
2015170768.tif 000007
【図６】
2015170768.tif 000008
【図７】
2015170768.tif 000009
【図８】
2015170768.tif 000010
【図９】
2015170768.tif 000011
【図１０】
2015170768.tif 000012
【図１１】
2015170768.tif 000013
【図１２】
2015170768.tif 000014
【図１３】
2015170768.tif 000015
【国際調査報告】
2015170768.tif 000016
2015170768.tif 000017